(57)【要約】【課題】正確かつ容易に被計量物を計量できる計量具を提供する。【解決手段】底壁部及び該底壁部の外周縁に立設された側壁部を備えた単位計量部が、前記側壁部の立設方向に複数段連続して重ねられた計量部３を備え、上位の単位計量部と下位の単位計量部とは、その内部同士が連通するものとされ、前記上位の単位計量部の底壁部は、前記下位の単位計量部の側壁部の上端開口部から外方に延設され、前記上位の単位計量部の底壁部の外周輪郭形状が、前記下位の単位計量部の底壁部の外周輪郭形状と異なる形状とされ、第三の単位計量部５０における第三の上端開口部５１が被計量物の出入口とされ、第一の単位計量部３０における第一の側壁部３２の下端開口部を閉塞することよりなる。【選択図】図１
2012101808.tif 000002
【特許請求の範囲】
【請求項１】
底壁部及び該底壁部の外周縁に立設された側壁部を備えた単位計量部が、前記側壁部の立設方向に複数段連続して重ねられた計量部を備え、
上位の単位計量部と下位の単位計量部とは、その内部同士が連通するものとされ、
前記上位の単位計量部の底壁部は、前記下位の単位計量部の側壁部の上端開口部から外方に延設され、
前記上位の単位計量部の底壁部の外周輪郭形状が、前記下位の単位計量部の底壁部の外周輪郭形状と異なる形状とされ、
最上位の単位計量部の側壁部の上端開口部が被計量物の出入口とされ、最下位の単位計量部の底壁部が側壁部の下端開口部を閉塞することを特徴とする計量具。
【請求項２】
前記上位の単位計量部の底壁部は、前記下位の単位計量部の側壁部の上端開口部の外方に突出する単位底壁部が環状配置されていることを特徴とする請求項１に記載の計量具。
【請求項３】
前記上位の単位計量部の単位底壁部の数量は、前記下位の単位計量部の単位底壁部の数量と異なることを特徴とする請求項２に記載の計量具。
【請求項４】
前記単位底壁部は、略円弧状であることを特徴とする請求項２又は３に記載の計量具。
【請求項５】
前記上位の単位計量部の底壁部の輪郭形状と前記下位の単位計量部の底壁部の輪郭形状とは、略同心状であることを特徴とする請求項１〜４のいずれか１項に記載の計量具。
【請求項６】
前記単位計量部の側壁部の内面には、表示部が印字されていることを特徴とする請求項１〜５のいずれか１項に記載の計量具。
【請求項７】
前記単位計量部の底壁部の内面には、表示部が印字されていることを特徴とする請求項１〜５のいずれか１項に記載の計量具。
【請求項８】
前記単位計量部の内面には、底壁部と側壁部との境界線が印字されていることを特徴とする請求項１〜７のいずれか１項に記載の計量具。
【発明の詳細な説明】
【技術分野】
【０００１】
本発明は、計量具に関する。
【背景技術】
【０００２】
一般に、液体の洗濯洗剤、液体の自動食器洗浄機用洗剤等の液体洗剤、液体の柔軟仕上剤、液体の漂白剤、液体調味料等の液状物、粒状の洗濯洗剤又は粒状の自動食器洗浄機用洗剤等の粒状洗剤、粉状の漂白剤、粉体調味料、粉体食品等の粉粒物は、容器に収納され、この容器に付属された計量キャップや計量スプーン等の計量具で計量されて使用に供される。これらの計量具には、被計量物の量を確認しやすくするために、刻印や印刷により表示された目盛が形成されている。
【０００３】
例えば、計量キャップは、注出ノズルを備えた容器本体の口部と着脱自在に装着され、被計量物を貯留する計量部を備えるものであり、計量部が被計量物の使用量に応じた容量とされたものである。計量キャップの使用方法は、容器本体内の被計量物を注出ノズルから計量部に注出し、計量部に形成された目盛に合わせて、任意の量の被計量物を計量する。
【０００４】
また、例えば、計量スプーンは、被計量物を掬い取る器状の計量部と、この計量部に延設された把持部とを備え、計量部が被計量物の使用量に応じた容量とされたものである。計量スプーンの使用方法は、容器内の被計量物を計量部に形成された目盛に合わせて掬い取ったり、掬い取った被計量物を計量部の開口縁部で摺り切って、所望の量に調整する。
【０００５】
目盛に合わせて被計量物を計量することで、被計量物を任意の量に正確に計量することができるが、所望する量を表示する目盛を読み取りながら被計量物を加減するのが煩雑であるという問題がある。また、不透明な材質で成形された計量具においては、計量具内の被計量物を計量具の外面から視認できないため、被計量物を目盛に合わせにくいという問題があった。
【０００６】
こうした問題に対し、例えば、凹部が形成された計量キャップであって、該凹部内に形成された側壁と、凹部の周辺に形成された周辺壁と、側壁と周辺壁とが接することにより形成された屈曲部とを含み、屈曲部を目印として用いる計量キャップが開示されている（例えば、特許文献１）。特許文献１の発明によれば、凹部に収容物を入れ、屈曲部を計量の目印とすることにより、収納物の正確かつ簡単な計量が図られている。
また、例えば、略円筒形の本体に、減少直径を有する複数の同心の円筒部が形成された計量・希釈用カップが開示されている（例えば、特許文献２）。特許文献２の発明によれば、薬剤を複数の同心の円筒部の縁部に合わせることで、任意の量を正確かつ容易に計量できる。
【先行技術文献】
【特許文献】
【０００７】
【特許文献１】特開平９−２２１１５３号公報
【特許文献２】特表２００９−５４１００９号公報
【発明の概要】
【発明が解決しようとする課題】
【０００８】
しかしながら、特許文献１の発明では、被計量物を計量部に貯留した際、計量キャップの傾き具合によって計量値が異なるものとなる。加えて、計量キャップが傾いていることを簡単に認識できないため、被計量物を正確に計量しにくい。
また、特許文献２の技術では、被計量物を同心の円筒部の縁部に合わせることで、正確に計量できるものの、いかなる位置の円筒部で計量しているのかを認識しにくい。
そこで、本発明は、正確かつ容易に被計量物を計量できる計量具を目的とする。
【課題を解決するための手段】
【０００９】
本発明の計量具は、底壁部及び該底壁部の外周縁に立設された側壁部を備えた単位計量部が、前記側壁部の立設方向に複数段連続して重ねられた計量部を備え、上位の単位計量部と下位の単位計量部とは、その内部同士が連通するものとされ、前記上位の単位計量部の底壁部は、前記下位の単位計量部の側壁部の上端開口部から外方に延設され、前記上位の単位計量部の底壁部の外周輪郭形状が、前記下位の単位計量部の底壁部の外周輪郭形状と異なる形状とされ、最上位の単位計量部の側壁部の上端開口部が被計量物の出入口とされ、最下位の単位計量部の底壁部が側壁部の下端開口部を閉塞することを特徴とする。
前記上位の単位計量部の底壁部は、前記下位の単位計量部の側壁部の上端開口部の外方に突出する単位底壁部が環状配置されていることが好ましく、前記上位の単位計量部の単位底壁部の数量は、前記下位の単位計量部の単位底壁部の数量と異なることが好ましく、前記単位底壁部は、略円弧状であることが好ましく、前記上位の単位計量部の底壁部の輪郭形状と前記下位の単位計量部の底壁部の輪郭形状とは、略同心状であることが好ましい。
前記単位計量部の側壁部の内面には、表示部が印字されていてもよく、前記単位計量部の底壁部の内面には、表示部が印字されていてもよく、前記単位計量部の内面には、底壁部と側壁部との境界線が印字されていてもよい。
【発明の効果】
【００１０】
本発明の計量具によれば、単位計量部が複数段連続して重ねられた計量部を備え、上位の単位計量部の底壁部は、下位の単位計量部の側壁部の上端開口部から外方に延設され、前記上位の単位計量部の底壁部の外周輪郭形状が、前記下位の単位計量部の底壁部の外周輪郭形状と異なる形状とされているため、正確かつ容易に被計量物を計量できる。
本発明の計量具によれば、前記上位の単位計量部の底壁部は、前記下位の単位計量部の側壁部の上端開口部の外方に突出する単位計量部が環状配置されているため、被計量物をより正確に計量できる。
本発明の計量具によれば、前記上位の単位計量部の単位底壁部の数量は、前記下位の単位計量部の単位底壁部の数量と異なるため、被計量物をより容易に計量できる。
本発明の計量具によれば、前記単位底壁部が略円弧状とされているため、耐久性が高い。
本発明の計量具によれば、前記上位の単位計量部の底壁部の輪郭形状と前記下位の単位計量部の底壁部の輪郭形状とは、略同心状であるため、計量具の転倒を防止できる。
本発明の計量具によれば、前記単位計量部の側壁部の内面には、表示部が印字されているため、計量部内の被計量物の量を容易に確認できる。
本発明の計量具によれば、前記単位計量部の底壁部の内面には、表示部が印字されているため、計量部内の被計量物の量を容易に確認できる。
本発明の計量具によれば、前記単位計量部の内面には、底壁部と側壁部との境界線が印字されているため、被計量物を容易に計量できる。
【図面の簡単な説明】
【００１１】
【図１】（ａ）本発明の第一の実施形態にかかる計量具の平面側の斜視図である。（ｂ）本発明の第一の実施形態にかかる計量具の底面側の斜視図である。
【図２】（ａ）本発明の第一の実施形態にかかる計量具の平面図である。（ｂ）本発明の第一の実施形態にかかる計量具の正面図である。（ｃ）本発明の第一の実施形態にかかる計量具の底面図である。
【図３】（ａ）図２（ａ）のＩＩＩ−ＩＩＩ断面図である。（ｂ）図３（ａ）の断面斜視図である。
【図４】本発明の第一の実施形態にかかる計量具を備えた計量キャップ付き容器の部分正面図である。
【図５】（ａ）本発明の第二の実施形態にかかる計量具の平面側の斜視図である。（ｂ）本発明の第二の実施形態にかかる計量具の底面側の斜視図である。
【図６】（ａ）本発明の第二の実施形態にかかる計量具の平面図である。（ｂ）本発明の第二の実施形態にかかる計量具の正面図である。（ｃ）本発明の第二の実施形態にかかる計量具の底面図である。
【図７】（ａ）本発明の第三の実施形態にかかる計量具の平面側の斜視図である。（ｂ）本発明の第三の実施形態にかかる計量具の底面側の斜視図である。
【図８】（ａ）本発明の第三の実施形態にかかる計量具の平面図である。（ｂ）本発明の第三の実施形態にかかる計量具の正面図である。（ｃ）本発明の第三の実施形態にかかる計量具の底面図である。
【図９】本発明の一実施形態にかかる計量具の断面斜視図である。
【図１０】本発明の一実施形態にかかる計量具の断面斜視図である。
【発明を実施するための形態】
【００１２】
（第一の実施形態）
本発明の第一の実施形態にかかる計量具について、以下に図１〜４を参照して説明する。
図４に示す計量キャップ付き容器１０は、被計量物として、液体の洗濯洗剤、液体の自動食器洗浄機用洗剤等の液体洗剤、液体の柔軟仕上剤、液体の漂白剤、液体調味料等の液状物を収容する容器本体７と、容器本体７の口部７０に装着された注出キャップ６と、注出キャップ６に着脱可能に装着される計量具１とを備えるものである。
注出キャップ６は、口部７０と螺合される螺合筒部６２と、螺合筒部６２の内側に設けられ、本体容器７内外を連通するノズル６０とを備え、螺合筒部６２の外面上部にはネジ部６４が形成されたものである。また、螺合筒部６２の内側には、口部７０に形成されたネジ部７２と螺合するネジ部が形成されている（不図示）。
【００１３】
図１〜３に示すように、計量具１は、計量部３と、計量部３の外周面に設けられた外筒部２とを備えるものである。計量部３は、第一の単位計量部３０と、第二の単位計量部４０と、第三の単位計量部５０とがこの順で積み重ねられ相互に内部が連通され、被計量物を貯留して計量するものである。
【００１４】
第一の単位計量部３０は、平面視略円形の第一の底壁部３４と、第一の底壁部３４の外周縁に立設された略円筒状の第一の側壁部３２とを備え、第一の側壁部３２の上端縁を周縁とする第一の上端開口部３１が形成されたものである。
【００１５】
第二の単位計量部４０は、第一の側壁部３２の上端縁に、第一の上端開口部３１から外方に向かい延設された第二の底壁部４４と、第二の底壁部４４の外周縁に立設された第二の側壁部４２とを備え、第二の側壁部４２の上端縁を周縁とする第二の上端開口部４１が形成されたものである。第二の底壁部４４は、第一の上端開口部３１の外方に、略円弧状に膨出した形状の４つの単位底壁部４５が、第一の上端開口部３１の周方向に略等間隔で環状配置されたものである。略円弧状とは、肉眼で円弧状と認識できる程度の形状をいう。
第二の底壁部４４には、表示部４６である「２０」の数字が印字されており、この表示部４６は、第一の上端開口部３１に合わせて計量した被計量物が２０ｇであることを示している。この表示部４６は、刻印や、ＭＤ−Ｖ９９００（株式会社キーエンス社製）、ＦＡＹｂレーザーマーカ  ＬＰ−Ｚ２５０（ＳＵＮＩＸ株式会社製）等のレーザー照射機を用いたレーザー印字等により形成されるものである。
【００１６】
第三の単位計量部５０は、第二の側壁部４２の上端縁に、第二の上端開口部４１から外方に向かい延設された第三の底壁部５４と、第三の底壁部５４の外周縁に立設された第三の側壁部５２とを備え、第三の側壁部５２の上端縁を周縁とする第三の上端開口部５１が形成されたものである。第三の底壁部５４は、第二の上端開口部４１の外方に、略円弧状に膨出した形状の８つの単位底壁部５５が、第二の上端開口部４１の周方向に略等間隔で環状配置されたものである。
【００１７】
第三の底壁部５４には、表示部５６である「３０」の数字が印字されており、この表示部５６は、第二の上端開口部４１に合わせて計量した被計量物が３０ｇであることを示している。
【００１８】
第二の底壁部４４の外周輪郭形状は、第一の底壁部３４の中心を通り、かつ第一の底壁部３４から第三の上端開口部５１の方向に延びる中心軸線Ｏ１を中心とする仮想円に内接するものであり、この仮想円は、第一の底壁部３４の外周輪郭形状と略同心状のものとされている。「略同心状」とは、肉眼において、同心と認識できる程度に位置していることをいう。
第三の底壁部５４の外周輪郭形状は、中心軸線Ｏ１を中心とする仮想円に内接するものであり、この仮想円は、第一の底壁部３４の外周輪郭形状と略同心状のものとされている。
即ち、本実施形態において、第一の底壁部３４の外周輪郭形状と、第二の底壁部４４の外周輪郭形状と、第三の底壁部５４の外周輪郭形状とは、略同心状とされている。
【００１９】
本実施形態において、第一の底壁部３４は単位底壁部を備えておらず、第二の底壁部４４は４つの単位底壁部４５を備え、第三の底壁部５４は８つの単位底壁部５５を備えている。即ち、上位の単位計量部は、下位の単位計量部より多くの単位底壁部を備えたものとされている。
【００２０】
計量部３を構成する３つの単位計量部の内、最上位に位置する第三の単位計量部５０における第三の上端開口部５１は、計量部３に被計量物を出入させる出入口とされている。
計量部３を構成する３つの単位計量部の内、最下位に位置する第一の単位計量部３０における第一の底壁部３４は、第一の側壁部３２の下端開口部を閉塞するものとされている。
【００２１】
外筒部２は、計量部３の外周面に突設され、平面視略円形の平板状の主壁部２０と、この主壁部２０の外周縁に立設された嵌合壁部２２とを備え、嵌合壁部２２の内面にネジ部２４が形成されたものである。このネジ部２４は、注出キャップ６の外面に形成されたネジ部６４と螺合し、計量具１を注出キャップ６に装着するものである。
【００２２】
計量具１の材質は、例えば、ポリエチレン、ポリプロピレン、ポリエチレンテレフタレート等のプラスチックが挙げられる。
【００２３】
次に計量具１の使用方法について、図１、４を用いて説明する。
まず、計量具１を注出キャップ６から螺脱し、第三の上端開口部５１を鉛直方向上向きにする。容器本体７内の被計量物をノズル６０から注出し、第三の上端開口部５１から計量部３内に注ぎ入れ、第一の上端開口部３１、第二の上端開口部４１又は第三の上端開口部５１に、被計量物の天面（本実施形態では液面）を合わせる。
例えば、被計量物を第一の単位計量部３０の容量に合わせる場合、第一の上端開口部３１と、被計量物の液面とが略一致することを第三の上端開口部５１から目視によって確認する。この際、第一の上端開口部３１の外周輪郭形状と、第二の底壁部４４の外周輪郭形状とが異なるため、計量部３内の被計量物の量が第一の単位計量部３０の容量を超えると、第三の上端開口部５１からみた液面の輪郭形状が第二の底壁部４４の外周輪郭形状となる。また、第一の上端開口部３１が水平に対し傾斜した状態であると、被計量物が単位底壁部４５の一部を覆うこととなり、第三の上端開口部５１から見た被計量物の液面の輪郭形状が第一の上端開口部３１の外周輪郭形状と異なるものとなる。このため、第一の上端開口部３１が略水平に保たれていることを確認しつつ、被計量物を第一の単位計量部３０の容量に合わせて容易に計量できる。
【００２４】
また、例えば、被計量物を第二の単位計量部４０の容量に合わせる場合、第二の上端開口部４１と、被計量物の液面とが略一致することを第三の上端開口部５１から目視によって確認する。この際、第二の上端開口部４１の外周輪郭形状と、第三の底壁部５４の外周輪郭形状とが異なるため、計量部３内の被計量物の量が第二の単位計量部４０の容量を超えると、第三の上端開口部５１からみた液面の輪郭形状が第三の底壁部５４の外周輪郭形状となる。また、第二の上端開口部４１が水平に対し傾斜した状態であると、被計量物が単位底壁部５５の一部を覆うこととなり、第三の上端開口部５１から見た被計量物の液面の輪郭形状が第二の上端開口部４１の外周輪郭形状と異なるものとなる。このため、第二の上端開口部４１が略水平に保たれていることを確認しつつ、被計量物を第二の単位計量部４０の容量に合わせて容易に計量できる。
【００２５】
任意の量の被計量物を計量した後、計量部内の被計量物を第三の上端開口部５１から排出し、被計量物を投入する対象、例えば、被計量物が液体洗剤であれば、洗濯機や自動食器洗浄機等の任意の場所に投入する。
【００２６】
本実施形態の計量具は、第一の単位計量部、第二の単位計量部及び第三の単位計量部がこの順で重ねられた計量部を備え、第二の底壁部が第一の上端開口部から外方に延設され、第三の底壁部が第二の上端開口部から外方に延設されているため、被計量物を第一〜第三の上端開口部のいずれかに合わせることで、任意の量の被計量物を計量できる。
加えて、本実施形態の計量具は、第一〜第三の底壁部の外周輪郭形状が、相互に異なる形状とされているため、被計量物を計量する際、任意の上端開口部を水平に保ちつつ、被計量物の天面が任意の上端開口部に合わせられたことを容易に確認できる。このため、任意の量の被計量物を正確かつ容易に計量できる。そして、被計量物を第三の上端開口部から目視で確認しながら計量できるため、計量具の材質を不透明なものにできる。
さらに、本実施形態の計量具は、第二の底壁部及び第三の底壁部に表示部が印字されているため、第三の上端開口部から見た被計量物の天面の輪郭形状のみならず、計量した被計量物の量を表示部により容易に確認できる。
【００２７】
本実施形態の計量具は、第一〜第三の底壁部が略同心状であるため、第一の底壁部を下方として机上等に置かれた際に重心が安定し、転倒しにくい。
【００２８】
本実施形態の計量具は、第二の底壁部及び第三の底壁部は、上端開口部の外方に略円弧状に膨出した単位底壁部が環状配置されたものであるため、任意の上端開口部が水平に対しいずれの方向に傾斜しても、第三の上端開口部から見た被計量物の天面の輪郭形状が変化する。このため、任意の上端開口部を水平に保ちつつ、被計量物を計量できる。
加えて、本実施形態の計量具は、上位の単位計量部が、下位の単位計量部より多くの単位底壁部を備えているため、計量部内の被計量物の天面の位置を把握するのが容易である。
さらに、本実施形態の計量具は、４つの単位底壁部が環状配置された第二の底壁部と、８つの単位底壁部が環状配置された第三の底壁部を備えるため、計量部内の被計量物の量に伴う天面の輪郭形状と、計量部内の被計量物の天面の位置との関係を容易に把握でき、被計量物をより容易に計量できる。
【００２９】
（第二の実施形態）
本発明の第二の実施形態にかかる計量具について、以下に図５〜６を参照して説明する。
図５〜６に示すように、計量具１００は、計量部１０３と、計量部１０３の外周面に設けられた外筒部２とを備えるものである。計量部１０３は、第一の単位計量部１３０と、第二の単位計量部１４０と、第三の単位計量部１５０とがこの順で積み重ねられ相互に内部が連通され、被計量物を貯留して計量するものである。
【００３０】
第一の単位計量部１３０は、平面視略円形の第一の底壁部１３４と、第一の底壁部１３４の外周縁に立設された略円筒状の第一の側壁部１３２とを備え、第一の側壁部１３２の上端縁を周縁とする第一の上端開口部１３１が形成されたものである。図５〜６中、符号Ｏ２は、第一の底壁部１３４の中心を通り、かつ第一の底壁部１３４から第一の上端開口部１３１の方向に延びる、第一の単位計量部１３０の中心軸線である。
【００３１】
第二の単位計量部１４０は、第一の側壁部１３２の上端縁に、第一の上端開口部１３１から外方に向かい延設された第二の底壁部１４４と、第二の底壁部１４４の外周縁に立設された第二の側壁部１４２とを備え、第二の側壁部１４２の上端縁を周縁とする第二の上端開口部１４１が形成されたものである。第二の底壁部１４４は、第一の上端開口部１３１の外方に、略円弧状に膨出した形状の４つの単位底壁部１４５が、第一の上端開口部１３１の周方向に略等間隔で環状配置されたものである。
図５〜６中、符号Ｏ３は、第二の底壁部１４４の中心を通り、かつ第二の底壁部１４４から第二の上端開口部１４１の方向に延びる、第二の単位計量部１４０の中心軸線である。この中心軸線Ｏ３は、第一の単位計量部１３０の中心軸線Ｏ２と、第一の底壁部１３４の面方向に離間している。
第二の底壁部１４４の外周輪郭形状は、中心軸線Ｏ３を中心とする仮想円に内接するものである。
【００３２】
第三の単位計量部１５０は、第二の側壁部１４２の上端縁に、第二の上端開口部１４１から外方に向かい延設された第三の底壁部１５４と、第三の底壁部１５４の外周縁に立設された第三の側壁部１５２とを備え、第三の側壁部１５２の上端縁を周縁とする第三の上端開口部１５１が形成されたものである。第三の底壁部１５４は、第二の上端開口部１４１の外方に、略円弧状に膨出した形状の８つの単位底壁部１５５が、第二の上端開口部１４１の周方向に略等間隔で環状配置されたものである。本実施形態において、第三の底壁部１５４は、主壁部２０と略面一なものである。
図５〜６中、符号Ｏ４は、第三の底壁部１５４の中心を通り、かつ第三の底壁部１５４から第三の上端開口部１５１の方向に延びる、第三の単位計量部１５０の中心軸線である。この中心軸線Ｏ４は、第一の単位計量部１３０の中心軸線Ｏ２及び第二の単位計量部１４０の中心軸線Ｏ３と、第一の底壁部１３４の面方向に離間している。
第三の底壁部１５４の外周輪郭形状は、中心軸線Ｏ４を中心とする仮想円に内接するものである。
【００３３】
本実施形態において、第一の底壁部１３４は単位底壁部を備えておらず、第二の底壁部１４４は４つの単位底壁部１４５を備え、第三の底壁部１５４は８つの単位底壁部１５５を備えている。即ち、上位の単位計量部は、下位の単位計量部より多くの単位底壁部を備えたものとされている。
【００３４】
計量部１０３を構成する３つの単位計量部の内、最上位に位置する第三の単位計量部１５０における第三の上端開口部１５１は、計量部１０３に被計量物を出入させる出入口とされている。
計量部１０３を構成する３つの単位計量部の内、最下位に位置する第一の単位計量部１３０における第一の底壁部１３４は、第一の側壁部１３２の下端開口部を閉塞するものとされている。
【００３５】
本実施形態の計量具は、第一〜第三の計量部の中心軸線が相互に異なり、第一〜第三の底壁部の外周輪郭形状の中心が相互に異なる。即ち、第一〜第三の底壁部の外周輪郭形状が略同心状でないため、被計量物を計量部内で計量する際、計量部内の被計量物の天面の輪郭形状と、計量部内の被計量物の天面の位置との関係を把握するのがより容易となり、被計量物をより容易に計量できる。
【００３６】
（第三の実施形態）
本発明の第三の実施形態にかかる計量具について、以下に図７〜８を参照して説明する。
図７〜８に示すように、計量具２００は、計量部２０３と、計量部２０３の外周面に設けられた外筒部２とを備えるものである。計量部２０３は、第一の単位計量部２３０と、第二の単位計量部２４０と、第三の単位計量部２５０とがこの順で積み重ねられ相互に内部が連通され、被計量物を貯留して計量するものである。
【００３７】
第一の単位計量部２３０は、平面視略正方形の第一の底壁部２３４と、第一の底壁部２３４の外周縁に立設された略角筒状の第一の側壁部２３２とを備え、第一の側壁部２３２の上端縁を周縁とする第一の上端開口部２３１が形成されたものである。
【００３８】
第二の単位計量部２４０は、第一の側壁部２３２の上端縁に、第一の上端開口部２３１から外方に向かい延設された第二の底壁部２４４と、第二の底壁部２４４の外周縁に立設された第二の側壁部２４２とを備え、第二の側壁部２４２の上端縁を周縁とする第二の上端開口部２４１が形成されたものである。第二の底壁部２４４は、第一の上端開口部２３１の外方に、略円弧状に膨出した形状の４つの単位底壁部２４５が、第一の上端開口部２３１の周方向に略等間隔で環状配置されたものである。
【００３９】
第三の単位計量部２５０は、第二の側壁部２４２の上端縁に、第二の上端開口部２４１から外方に向かい延設された第三の底壁部２５４と、第三の底壁部２５４の外周縁に立設された第三の側壁部２５２とを備え、第三の側壁部２５２の上端縁を周縁とする第三の上端開口部２５１が形成されたものである。第三の底壁部２５４は、第二の上端開口部２４１の外方に、略三角に突出した形状の８つの単位底壁部２５５が、第二の上端開口部２４１の周方向に略等間隔で環状配置されたものである。本実施形態において、第三の底壁部２５４は、主壁部２０と略面一なものである。
【００４０】
第二の底壁部２４４の外周輪郭形状は、第一の底壁部２３４の中心を通り、かつ第一の底壁部２３４から第三の上端開口部２５１の方向に延びる中心軸線Ｏ５を中心とする仮想円に内接するものであり、この仮想円は、第一の底壁部２３４の外周輪郭形状と略同心状のものとされている。
第三の底壁部２５４の外周輪郭形状は、中心軸線Ｏ５を中心とする仮想円に内接するものであり、この仮想円は、第一の底壁部２３４の外周輪郭形状と略同心状のものとされている。
即ち、本実施形態において、第一の底壁部２３４の外周輪郭形状と、第二の底壁部２４４の外周輪郭形状と、第三の底壁部２５４の外周輪郭形状とは、略同心状とされている。
【００４１】
本実施形態において、第一の底壁部２３４は単位底壁部を備えておらず、第二の底壁部２４４は４つの単位底壁部２４５を備え、第三の底壁部２５４は８つの単位底壁部２５５を備えている。即ち、上位の単位計量部は、下位の単位計量部より多くの単位底壁部を備えたものとされている。
【００４２】
計量部２０３を構成する３つの単位計量部の内、最上位に位置する第三の単位計量部２５０における第三の側壁部２５２の第三の上端開口部２５１は、計量部２０３に被計量物を出入させる出入口とされている。
計量部２０３を構成する３つの単位計量部の内、最下位に位置する第一の単位計量部２３０における第一の底壁部２３４は、第一の側壁部２３２の下端開口部を閉塞するものとされている。
【００４３】
（その他の実施形態）
本発明は上述の実施形態に限定されるものではない。
第一の実施形態では、第二及び第三の底壁部に表示部が形成されているが、本発明はこれに限定されず、表示部が形成されていなくてもよいし、第二又は第三の側壁部の内面に表示部が形成されていてもよい。また、第一の実施形態では、表示部が数字であったが、表示部の種類はこれに限定されず、文字や記号等であってもよい。あるいは、表示部は、計量部の内面から外面に向かい凹む凹状であってもよいし、側壁部又は底壁部の内面に突出する凸状であってもよい。ただし、視認性が良好である点から、表示部は印字であることが好ましい。
【００４４】
例えば、第二及び第三の側壁部の内面に表示部が形成された計量具について、図９を用いて説明する。図９は、計量具３００の縦断面の斜視図である。第一の実施形態の計量具１と同じ構成には同じ符号を付してその説明を省略し、主に第一の実施形態と異なる点について説明する。
図９に示すように、計量具３００は、表示部３４６と表示部３５６とが印字されたものである。第二の側壁部４２の内面の第二の底壁部４４側には、表示部３４６である「▽」の図形と「２０」の数字が印字されている。この表示部３４６は、第一の上端開口部３１に合わせて計量した被計量物が２０ｇであることを示している。また、第三の側壁部５２の内面には、第三の底壁部５４側に、表示部３５６である「▽」の図形と「３０」の数字が印字されている。この表示部３５６は、第二の上端開口部４１に合わせて計量した被計量物が３０ｇであることを示している
表示部３４６の印字方法は、第一の実施形態における表示部４６の印字方法と同じである。表示部３５６の印字方法は、第一の実施形態における表示部４６の印字方法と同じである。
【００４５】
また、例えば、計量部の内面には、底壁部と側壁部との境界線が印字されていてもよい。境界線が印字された計量具について、図１０を用いて説明する。図１０は、計量具４００の縦断面の斜視図である。第一の実施形態の計量具１と同じ構成には同じ符号を付してその説明を省略し、主に第一の実施形態と異なる点を説明する。
図１０に示すように、計量具４００は、境界線４４６と境界線４５６とが印字されたものである。境界線４４６は、第一の側壁部３２と第二の底壁部４４との境界、即ち第一の上端開口部３１の周縁に形成されたものである。また、境界線４５６は、第二の側壁部４２と第三の底壁部５４との境界、即ち第二の開口部４１の周縁に形成されたものである。このような境界線４４６、４５６が形成されることで、被計量物の天面と上端開口部との位置合わせがより容易になる。
【００４６】
第二及び第三の実施形態では、計量部に表示部が印字されていないが、本発明はこれに限定されず、計量部に表示部が印字されていてもよい。
【００４７】
第一〜第三の実施形態では、計量具が３つの単位計量部を備えているが、本発明はこれに限定されず、単位計量部の数は、２つであってもよいし、４つ以上であってもよい。単位計量部の数は、被計量物の用途等を勘案して決定できる。
【００４８】
第一及び第二の実施形態では、第二の底壁部及び第三の底壁部における単位底壁部が略円弧状に膨出するものであるが、本発明はこれに限定されず、例えば、略三角、略四角に突出する形状のものであってもよいし、これらの組み合わせであってもよい。ただし、耐久性の観点から、単位底壁部は略円弧状に膨出する形状が好ましい。
第三の実施形態では、第二の底壁部の単位底壁部が略円弧状に膨出するものとされ、第三の底壁部の単位底壁部が略三角に突出する形状とされているが、本発明はこれに限定されず、第二の底壁部の単位底壁部が略三角に突出した形状であってもよいし、第三の底壁部の単位底壁部が略円弧状に膨出した形状であってもよい。
【００４９】
第一〜第三の実施形態では、第二の底壁部における単位底壁部の数が４つであり、第三の底壁部における単位底壁部の数が８つであるが、単位底壁部の数はこれに限定されず、任意の数とすることができる。ただし、計量部内の被計量物の天面の輪郭形状を直ちに認識できるという観点から、第二の底壁部における単位底壁部の数と、第三の底壁部における単位底壁部の数とは、２以上異なることが好ましい。
また、第一〜第三の実施形態では、上位の単位計量部は、下位の単位計量部より多くの単位底壁部を備えているが、本発明はこれに限定されず、下位の単位計量部が、上位の単位計量部より多くの単位底壁部を備えていてもよい。
【００５０】
第一〜第三の実施形態では、計量具がいわゆる計量キャップであるが、本発明はこれに限定されず、被計量物の種類や、被計量物を収容する容器の種類等に応じた形態とすることができる。例えば、第一〜第三の実施形態における計量部と、この計量部の第三の側壁部の上端縁に延設された把持部とを備える計量スプーンであってもよいし、第一〜第三の実施形態における計量部と、この計量部の側壁部の外面に設けられた円弧状の取っ手部とを備える計量カップであってもよい。計量スプーン又は計量カップにおいては、外筒部を備えていなくてもよいし、備えていてもよい。
【００５１】
第一〜第三の実施形態では、被計量物を液状物とするものであるが、本発明はこれに限定されず、被計量物は、粒状の洗濯洗剤又は粒状の自動食器洗浄機用洗剤等の粒状洗剤、粉体調味料、粉体食品等の粉粒物であってもよい。
【符号の説明】
【００５２】
１、１００、２００、３００、４００    計量具
３、１０３、２０３    計量部
３０、１３０、２３０    第一の単位計量部
３１、１３１、２３１    第一の上端開口部
３２、１３２、２３２    第一の側壁部
３４、１３４、２３４    第一の底壁部
４０、１４０、２４０    第二の単位計量部
４１、１４１、２４１    第二の上端開口部
４２、１４２、２４２    第二の側壁部
４４、１４４、２４４    第二の底壁部
４５、５５、１４５、１５５、２４５、２５５    単位底壁部
４６、５６、３４６、３５６    表示部
５０、１５０、２５０    第三の単位計量部
５１、１５１、２５１    第三の上端開口部
５２、１５２、２５２    第三の側壁部
５４、１５４、２５４    第三の底壁部
４４６、４５６    境界線
【図１】
2012101808.tif 000003
【図２】
2012101808.tif 000004
【図３】
2012101808.tif 000005
【図４】
2012101808.tif 000006
【図５】
2012101808.tif 000007
【図６】
2012101808.tif 000008
【図７】
2012101808.tif 000009
【図８】
2012101808.tif 000010
【図９】
2012101808.tif 000011
【図１０】
2012101808.tif 000012